【手続補正書】
【提出日】平成27年8月26日(2015.8.26)
【手続補正１】
【補正対象書類名】明細書
【補正対象項目名】０００７
【補正方法】変更
【補正の内容】
【０００７】
本発明に係る表示制御装置は、
表示手段に対する複数点のタッチを検出可能なタッチ検出手段と、
前記タッチ検出手段が１点のタッチを検出し、その後、１点もタッチを検出しなくなるまでの間に複数点のタッチを検出していない場合は、前記１点のタッチが所定の条件を満たしたか否かにかかわらず、前記１点のタッチが移動しながら離れたことに応じて、前記１点のタッチが離れた後にも前記表示手段に表示されている表示オブジェクトをスクロールするように制御し、
前記タッチ検出手段が複数点のタッチを検出し、その後、前記複数点のタッチが１点になった場合には、該１点のタッチが前記所定の条件を満たしたか否かにかかわらず、該１点のタッチが検出されている間のタッチ位置の移動に応じて、前記表示オブジェクトをスクロールするように制御し、
前記タッチ検出手段が複数点のタッチを検出し、その後、前記複数点のタッチが１点になり、且つ、該１点のタッチが前記所定の条件を満たした後に移動しながら離れた場合には、該１点のタッチが離れた後にも前記表示オブジェクトをスクロールするように制御し、
前記タッチ検出手段が複数点のタッチを検出し、その後、前記複数点のタッチが１点になり、且つ、該１点のタッチが前記所定の条件を満たさずに離れた場合には、該１点のタッチが離れた後に前記表示オブジェクトをスクロールさせないように制御する制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
表示手段に対する複数点のタッチを検出可能なタッチ検出手段と、
前記タッチ検出手段が１点のタッチを検出し、その後、１点もタッチを検出しなくなるまでの間に複数点のタッチを検出していない場合は、前記１点のタッチが所定の条件を満たしたか否かにかかわらず、前記１点のタッチが移動しながら離れたことに応じて、前記１点のタッチが離れた後にも前記表示手段に表示されている表示オブジェクトをスクロールするように制御し、
前記タッチ検出手段が複数点のタッチを検出し、その後、前記複数点のタッチが１点になった場合には、該１点のタッチが前記所定の条件を満たしたか否かにかかわらず、該１点のタッチが検出されている間のタッチ位置の移動に応じて、前記表示オブジェクトをスクロールするように制御し、
前記タッチ検出手段が複数点のタッチを検出し、その後、前記複数点のタッチが１点になり、且つ、該１点のタッチが前記所定の条件を満たした後に移動しながら離れた場合には、該１点のタッチが離れた後にも前記表示オブジェクトをスクロールするように制御し、
前記タッチ検出手段が複数点のタッチを検出し、その後、前記複数点のタッチが１点になり、且つ、該１点のタッチが前記所定の条件を満たさずに離れた場合には、該１点のタッチが離れた後に前記表示オブジェクトをスクロールさせないように制御する制御手段と、を備えることを特徴とする表示制御装置。
【請求項２】
前記制御手段は、タッチが離れた後に前記表示オブジェクトをスクロールする場合、前記タッチが離れる直前のタッチ位置の移動速度に応じた速度で前記表示オブジェクトを減速させながらスクロールさせ、その後、スクロールを停止させるように制御することを特徴とする請求項１記載の表示制御装置。
【請求項３】
前記制御手段は、１点のタッチが検出されている間のタッチ位置の移動に応じて前記表示オブジェクトをスクロールする場合、前記タッチ位置の移動距離に相当する距離で前記表示オブジェクトのスクロールを行うように制御することを特徴とする請求項１記載の表示制御装置。
【請求項４】
前記制御手段は、前記タッチ検出手段が複数点のタッチを検出した場合、該複数点のタッチのタッチ位置の変化に応じた処理を行うように制御することを特徴とする請求項１乃至３のいずれか１項に記載の表示制御装置。
【請求項５】
前記制御手段は、前記タッチ検出手段が複数点のタッチを検出した場合、該複数点のタッチ位置のそれぞれの相対位置の変化に応じた処理を行うように制御することを特徴とする請求項４に記載の表示制御装置。
【請求項６】
前記制御手段は、前記タッチ検出手段が２点のタッチを検出した場合、該２点のタッチのタッチ位置間の距離が広がったことに応じて前記表示オブジェクトを拡大して表示するように制御することを特徴とする請求項５に記載の表示制御装置。
【請求項７】
前記制御手段は、前記タッチ検出手段が２点のタッチを検出した場合、該２点のタッチのタッチ位置間の距離が狭まったことに応じて前記表示オブジェクトを縮小して表示するように制御することを特徴とする請求項５又は６に記載の表示制御装置。
【請求項８】
前記制御手段は、前記タッチ検出手段が複数点のタッチを検出し、その後、前記複数点のタッチが１点になり、且つ、該１点のタッチが前記所定の条件とは異なる他の条件を満たした場合に、前記１点のタッチが検出されている間の前記１点のタッチ位置の移動に応じて前記表示オブジェクトをスクロールするように制御することを特徴とする請求項１乃至７のいずれか１項に記載の表示制御装置。
【請求項９】
前記制御手段は、前記タッチ検出手段が１点のタッチを検出し、その後、タッチが１つも検出されなくなるまでに複数点のタッチを検出していたか否かにかかわらず、タッチが１つも検出されなくなる直前のタッチ位置の移動速度が所定速度以下であった場合には、タッチが１つも検出されなくなった後に前記表示オブジェクトをスクロールさせないように制御することを特徴とする請求項１乃至８のいずれか１項に記載の表示制御装置。
【請求項１０】
前記所定の条件は、前記タッチ検出手段が複数点のタッチを検出し、その後、該複数点のタッチが１点になった後の該１点のタッチのタッチ位置の移動距離が所定距離以上であることを特徴とする請求項１乃至９のいずれか１項に記載の表示制御装置。
【請求項１１】
前記所定の条件は、前記タッチ検出手段が複数点のタッチを検出し、その後、該複数点のタッチが１点になった後の該１点のタッチの継続時間が所定時間以上であることを特徴とする請求項１乃至９のいずれか１項に記載の表示制御装置。
【請求項１２】
表示手段に対する複数点のタッチを検出可能なタッチ検出手段を有する表示制御装置の制御方法であって、
前記タッチ検出手段が１点のタッチを検出し、その後、１点もタッチを検出しなくなるまでの間に複数点のタッチを検出していない場合は、前記１点のタッチが所定の条件を満たしたか否かにかかわらず、前記１点のタッチが移動しながら離れたことに応じて、前記１点のタッチが離れた後にも前記表示手段に表示されている表示オブジェクトをスクロールするように制御し、
前記タッチ検出手段が複数点のタッチを検出し、その後、前記複数点のタッチが１点になった場合には、該１点のタッチが前記所定の条件を満たしたか否かにかかわらず、該１点のタッチが検出されている間のタッチ位置の移動に応じて、前記表示オブジェクトをスクロールするように制御し、
前記タッチ検出手段が複数点のタッチを検出し、その後、前記複数点のタッチが１点になり、且つ、該１点のタッチが前記所定の条件を満たした後に移動しながら離れた場合には、該１点のタッチが離れた後にも前記表示オブジェクトをスクロールするように制御し、
前記タッチ検出手段が複数点のタッチを検出し、その後、前記複数点のタッチが１点になり、且つ、該１点のタッチが前記所定の条件を満たさずに離れた場合には、該１点のタッチが離れた後に前記表示オブジェクトをスクロールさせないように制御する制御ステップを備えることを特徴とする表示制御装置の制御方法。
【請求項１３】
表示手段に対する複数点のタッチを検出可能なタッチ検出手段と、
前記タッチ検出手段が１点のタッチを検出し、その後、１点もタッチを検出しなくなるまでの間に複数点のタッチを検出していない場合には、該１点のタッチが検出されている間の該１点のタッチのタッチ位置の移動に応じて、前記表示手段に表示されている複数の項目をスクロールするように制御すると共に、該１点のタッチが移動しながら離れたことに応じて、該１点のタッチが離れた後にも前記項目をスクロールするように制御し、
前記タッチ検出手段が複数点のタッチを検出し、その後、前記複数点のタッチが１点になった場合には、前記複数の項目をスクロールせずに、該１点のタッチが所定の条件を満たした後の該１点のタッチ位置に応じて前記複数の項目の中から選択される項目を変更するように制御する制御手段と、を備えることを特徴とする表示制御装置。
【請求項１４】
前記制御手段は、前記タッチ検出手段が複数点のタッチを検出した場合に、該複数点のタッチのタッチ位置の変化に応じた処理を行うように制御することを特徴とする請求項１３に記載の表示制御装置。
【請求項１５】
前記制御手段は、前記タッチ検出手段が２点のタッチを検出した場合、該２点のタッチのタッチ位置間の距離が狭まったことに応じて、前記表示手段に表示される項目の数を増やして表示するように制御することを特徴とする請求項１４に記載の表示制御装置。
【請求項１６】
表示手段に対する複数点のタッチを検出可能なタッチ検出手段を有する表示制御装置の制御方法であって、
前記タッチ検出手段が１点のタッチを検出し、その後、１点もタッチを検出しなくなるまでの間に複数点のタッチを検出していない場合には、該１点のタッチが検出されている間の該１点のタッチのタッチ位置の移動に応じて、前記表示手段に表示されている複数の項目をスクロールするように制御すると共に、該１点のタッチが移動しながら離れたことに応じて、該１点のタッチが離れた後にも前記項目をスクロールするように制御し、
前記タッチ検出手段が複数点のタッチを検出し、その後、前記複数点のタッチが１点になった場合には、前記複数の項目をスクロールせずに、該１点のタッチが所定の条件を満たした後の該１点のタッチ位置に応じて前記複数の項目の中から選択される項目を変更するように制御する制御ステップを備えることを特徴とする表示制御装置の制御方法。
【請求項１７】
コンピュータを請求項１乃至１１，１３乃至１５のいずれか１項に記載された表示生後装置の各手段として機能させるためのプログラム。
【請求項１８】
コンピュータを請求項１乃至１１，１３乃至１５のいずれか１項に記載された表示生後装置の各手段として機能させるためのプログラムを格納した、コンピュータが読み取り可能な記憶媒体。